(57)【要約】【課題】２色成形等のためにテープリール近傍のカセットケースの内面側にリブが形成されても、そのリブとテープリールとの当たりによる削れを防止できるようにしたテープカセットを提供する。【解決手段】このテープカセットは、上ハーフケース１と下ハーフケース２とから構成されるカセットケース内にテープ状記録媒体を巻回する一対のテープリール３が一対の板状スプリング１５により上ハーフケース側から下ハーフケース側に押圧されるようにしてかつ回転可能に収容されており、上ハーフケースの内面１ａに板状スプリングの高さ方向位置を規制する位置規制部２０を設けた。テープリール３が上ハーフケース１側に何らかの原因で必要以上に移動しても、成形時に形成されたリブ１９とリール面３ａとの当たりを防ぐことができる。【選択図】  図２
2004288256.tif 000002
【特許請求の範囲】
【請求項１】
一対のハーフケースから構成されるカセットケース内にテープ状記録媒体を巻回するテープリールが板状スプリングにより前記一方のハーフケース側から前記他方のハーフケース側に押圧されるようにしてかつ回転可能に収容されたテープカセットであって、
前記一方のハーフケースの内面に前記板状スプリングの高さ方向位置を規制する位置規制部を設けたことを特徴とするテープカセット。
【請求項２】
前記テープリールは前記板状スプリングにより押圧される突起部を前記リール面の回転中心に位置するように備え、
前記一方のハーフケースの成形時に前記リール面に対応する前記内面にリブが形成され、
前記リブに最も近接する前記リール面から突出する前記突起部の前記リール面からの高さと前記板状スプリングの厚さと前記位置規制部の高さとの和が前記リブの高さよりも大きくなるように構成されたことを特徴とする請求項１に記載のテープカセット。
【請求項３】
前記リブは前記一方のハーフケースと透光性の窓部材とを一体に成形したときに、前記窓部材と前記一方のハーフケースとの間に形成され、前記位置規制部は前記窓部材と前記一方のハーフケースとの間に形成されたリブの近傍に形成されていることを特徴とする請求項２に記載のテープカセット。
【発明の詳細な説明】
【０００１】
【発明の属する技術分野】
本発明は、テープ状記録媒体を巻回するテープリールをスプリングで押圧するようにしたテープカセットに関する。
【０００２】
【従来の技術】
従来、８ｍｍビデオテープカセットやデジタルオーディオテープカセット（ＤＡＴ）やデジタルビデオテープカセット（ＤＶＣ）等では、カセットケースの窓部が単体で成形され、上ハーフケースを組み立てる際に融着等で取り付けていた。また、磁気テープを巻回し回転するテープリールに形成された突起をリールスプリングが押し付けることで記録再生装置側の駆動軸との係合を安定にし、非使用時には下ハーフケースのハブ孔を塞ぎ、ハブ孔からの塵埃の進入を防いでいる（下記特許文献１参照）。
【０００３】
一方、ＯＥＭ（相手先ブランドによる生産）等の製品を平行して生産する場合、ＯＥＭデザインに関係のある部品を新作し、共用可能な部品は新作せずにそのまま用いる手法がよく知られている。上述のようなテープカセットのＯＥＭデザインによっては上ハーフケースを２色成形しなければ製作できないことがあるが、かかる場合、図５（ａ）、（ｂ）のように、２色成形のために上ハーフケース１０１の窓部１０６の内面側にリブ１０７が形成されてしまう。共通部品のテープリール１０３の突起１０４がリールスプリング１０５により下ハーフケース１０２側に押圧されるが、テープリール１０３が図の上方に必要以上に持ち上げられて移動すると、図５（ｂ）のように、リブ１０７がテープリールの面１０３ａに当接し、削れ粉が発生してしまう問題がある。
【０００４】
【特許文献１】
特開２００１−６０３７６公報
【０００５】
【発明が解決しようとする課題】
本発明は、上述のような従来技術の問題に鑑み、２色成形等のためにテープリール近傍のカセットケースの内面側にリブが形成されても、そのリブとテープリールとの当たりによる削れを防止できるようにしたテープカセットを提供することを目的とする。
【０００６】
【課題を解決するための手段】
上記目的を達成するために、本発明によるテープカセットは、一対のハーフケースから構成されるカセットケース内にテープ状記録媒体を巻回する一対のテープリールが一対の板状スプリングにより前記一方のハーフケース側から前記他方のハーフケース側に押圧されるようにしてかつ回転可能に収容されたテープカセットであって、前記一方のハーフケースの内面に前記板状スプリングの高さ方向位置を規制する位置規制部を設けたことを特徴とする。
【０００７】
このテープカセットによれば、一方のハーフケースの内面に設けた位置規制部により板状スプリングの高さ方向位置を規制することで、板状スプリングで押圧されるテープリールと一方のハーフケースの内面との間の距離を制御することができる。このため、２色成形等のためにテープリール近傍の一方のハーフケースの内面側にリブが形成されても、そのリブとテープリールとの当たりを防ぐことができ、その当たりによる削れを防止できる。
【０００８】
上記テープカセットにおいて前記テープリールは前記一方のハーフケースの内面と対向するリール面を有し、前記位置規制部により前記リール面と前記内面との間に隙間が形成されるように構成されることが好ましい。テープリールのリール面に対応する一方のハーフケースの内面にリブが形成されても、位置規制部によりリール面と内面との間に隙間が形成されることで、リブとリール面との当たりを防ぐことができる。
【０００９】
この場合、前記一方のハーフケースの成形時に前記リール面に対応する前記内面に形成されたリブの高さよりも前記隙間が大きくなるように構成することでリブとリール面との当たりを防ぐことができる。
【００１０】
また、前記テープリールは前記板状スプリングにより押圧される突起部を前記リール面の回転中心に位置するように備え、前記一方のハーフケースの成形時に前記リール面に対応する前記内面にリブが形成され、前記リブに最も近接する前記リール面から突出する前記突起部の前記リール面からの高さと前記板状スプリングの厚さと前記位置規制部の高さとの和が前記リブの高さよりも大きくなるように構成されることが好ましい。これにより、テープリールが一方のハーフケース側に移動しても、リブとリール面との当たりを確実に防ぐことができる。
【００１１】
この場合、前記リブは前記一方のハーフケースと透光性の窓部材とを一体に成形したときに、前記窓部材と前記一方のハーフケースとの間に形成され、前記位置規制部は前記窓部材と前記一方のハーフケースとの間に形成されたリブの近傍に形成されることが好ましい。なお、突起部は窓部材近傍に配置され、板状スプリングは、突起部を押圧し窓部材を横断するように延びて配置され、窓部材の両端近傍の位置規制部でその高さ方向位置が規制される。
【００１２】
【発明の実施の形態】
以下、本発明による実施の形態について図面を用いて説明する。図１は本実施の形態を示すテープカセットの分解斜視図である。図２は図１のテープカセットを長手方向に切断して見た一方のテープリールを示す部分断面図である。図３（ａ）は図１，図２の上ハーフケースの内面に設けた位置規制部と成形時に形成されたリブとを拡大して示す拡大断面図であり、図３（ｂ）は図２のテープリールの突起部とリブとを拡大して示す部分的拡大断面図である。なお、図１には上ハーフケースを内面側から見た斜視図を併せて示す。
【００１３】
図１に示すように、テープカセットは、上ハーフケース１と下ハーフケース２から構成されるカセットケース内に、磁気テープ１０を巻回する一対のテープリール３，３が回転自在に収容されている。上ハーフケース１及び下ハーフケース２は、それぞれ樹脂材料から射出成形により例えば青色等の有色不透明に生産される。
【００１４】
図１のテープカセットは、前蓋５と裏蓋６とにより不使用時にカセットケース外にある磁気テープ１０を保護するようになっている。前蓋５は、側板５ａに形成された軸によりケースに回動可能に取り付けられ、ばね５ｂにより常時閉方向に付勢されている。裏蓋６は、軸６ａで前蓋５に連結されるとともに下ハーフケース２のガイド溝９に軸６ｂで案内され、前蓋５に連動して動くようになっている。
【００１５】
下ハーフケース２の側壁１３には前蓋５を閉位置でロックするロック部材２ａが設けられ、このロック部材２ａは、ばね２ｂによりロック位置に常時付勢されている。下ハーフケース２の背面壁１１側にあるリールエリア外の中央近傍にはリールブレーキ部材８とリールブレーキばね８ａとが設けられている。
【００１６】
また、背面壁１１と側壁１２との角部近傍には誤消去防止部材７が設けられている。誤消去防止部材７は、摺動性のよいＰＯＭ等の樹脂材料から構成されることが好ましい。図１の上ハーフケース１と下ハーフケース２とを組み立てたときに、下ハーフケース２の背面壁１１に形成された矩形状の切り欠き１９と、上ハーフケース１の背面壁に形成された矩形状の切り欠き１８とが組み合わされて矩形状の操作窓を形成し、この操作窓を誤消去防止部材７がケース内面に対し摺動しながら開閉するようになっている。
【００１７】
図１，図２に示すように、テープリール３，３の各リールハブ３ｃに磁気テープ１０がクランプ部材３ｅで固定されてその周囲に巻回される。
【００１８】
テープリール３，３の各リールハブ３ｃは、下ハーフケース２側の下端が開放され、テープリール３，３を回転駆動するための記録再生装置側のリール駆動軸（図示省略）が係合する駆動軸挿入孔３ｄを備える。各テープリール３，３の下端面が下ハーフケース２の底面に形成された開口２ｃに位置しリールハブ３ｃの駆動軸挿入孔３ｄが外部に露出し、図２の下方から記録再生装置側の駆動軸（図示省略）がカセットケース内に進入し駆動軸挿入孔３ｄの内周面の係合歯３ｆに係合するようになっている。
【００１９】
図２のように、テープリール３，３は、カセットケース内で上ケース１の内面１ａに対向するようにリール面３ａが位置する。また、各リールハブ３ｃの上端側に回転軸ｐ上に先端が丸みを帯びた突起部４がリール面３ａから内面１ａに向けて突き出るように設けられている。
【００２０】
また、テープリール３，３の安定な回転を図るため一対の細長形状の金属材料等からなる板状スプリング１５，１５がテープリール３，３の各突起部４を下ハーフケース２側に押圧するように上ハーフケース１の内面１ａに取り付けられている。
【００２１】
また、上ハーフケース１には長手方向に延びるように透光性の窓部材１４が射出成形により一体に形成されており、上ハーフケース１の平面の一部を形成し、テープリール３，３を外側から覗くことができるようになっている。
【００２２】
図２のように、有色不透明の上ハーフケース１と透明の窓部材１４との２色成形時に窓部材１４の下方に上ハーフケース１の内面１ａから突き出るようにしてリブ１９が形成されるが、このリブ１９の形成の理由を図４により説明する。図４は上ハーフケースと窓部材との２色成形を行うための成形金型の要部断面図である。
【００２３】
図４のように、固定側成形金型５１と可動側成形金型５２とスライドコア５３とにより窓部材１４を含めて上ハーフケース１が成形される。まず、スライドコア５３が図４の位置５４にあるとき、窓部材１４に近い窓部材近傍部２１の形状に対応したキャビティ５５が形成され、不透明の樹脂材料で上ハーフケース１が成形される。次に、スライドコア５３が図の下方に移動してから（符号５３で示す位置まで）、透明の樹脂材料により窓部材１４を成形することで、上ハーフケース１と窓部材１４との２色成形を行うことができる。このとき、始めの不透明の樹脂材料を射出したときのシール性を良くするためにスライドコア５３は段付き形状となっており、図の位置で凹部５４ａを形成するので、透明の樹脂材料により窓部材１４を成形するときに、凹部５４ａに対応して図３のリブ１９が図２のように窓部材１４と上ハーフケース１との間において窓部材１４の下方に内面１ａから突き出るように形成されてしまうのである。
【００２４】
図３においてテープリール３，３が必要以上に上昇したとき、上記リブ１９の先端面１９ａがリール面３ａの内で上ハーフケース１に最も近接する近接面３ｂに当たると削れの問題が生じるので、本実施の形態では、図３（ａ）のように、板状スプリング１５の高さ方向位置を規制するために上ハーフケース１の内面１ａにリブ状に突き出るように位置規制部２０を形成している。
【００２５】
板状スプリング１５は、テープリール３，３の突起部４を押圧するとき、図３（ａ）のようにリール面３ａの近接面３ｂとリブ１９の先端面１９ａとの間に距離ｄが形成されるように位置規制部２０により高さ方向位置が規制される。これにより、リール面３ａの近接面３ｂとリブ１９の先端面１９ａとの間に隙間が形成されるので、リブ１９とリール面３ａの近接面３ｂとの当たりを防ぐことができる。
【００２６】
上述の位置規制部２０について更に説明する。図３（ａ）のように、位置規制部２０は、窓部材近傍部２１に形成されリブ１９の近傍に位置し、図２のように、窓部材１４と上ハーフケース１との間に形成されたリブ１９，１９に対応して板状スプリング１５が延びる方向で２箇所に形成されている。板状スプリング１５は、窓部材１４を横断するように延びて配置されており、窓部材１４を横断する区間内で突起部４を押圧し、窓部材１４の近傍の２箇所の位置規制部２０，２０でその高さ方向位置が規制される。
【００２７】
図３において位置規制部２０の内面１ａからの高さｈは次のようにして決められる。即ち、図３（ａ）のようにリブ１９の先端面１９ａに最も近接するリール面３ａ内の上面である近接面３ｂから図３（ｂ）のように突出する突起部４の、近接面３ｂを基準とする仮想面からの高さｍと、板状スプリング１５の厚さｔと、位置規制部の高さｈとの和が、リブ１９の高さｙよりも大きくなるように決められる。即ち、位置規制部の高さｈは次式（１）を満足するようになっている。
【００２８】
ｍ＋ｔ＋ｈ＞ｙ  ・・・（１）
【００２９】
板状スプリング１５が突起部４と位置規制部２０との間で内面１ａに対しほぼ平行に最も接近したとき、上記式（１）は次式（２）のようになる。
【００３０】
（ｍ＋ｔ＋ｈ）−ｙ＝ｄ  ・・・（２）
ｄ：近接面３ｂとリブ１９の先端面１９ａとの間の距離
【００３１】
上記式（２）を満足すると、テープリール３が図２の方向ａに何らかの理由により移動し、リール面３ａの近接面（基準面）３ｂが上ハーフケース１の内面１ａ側に最も接近したときでも、図３（ａ）、（ｂ）のように、位置規制部２０によりリール面３ａの近接面３ｂとリブ１９の先端面１９ａとの間に距離ｄの隙間が確実に形成されるので、リブ１９の先端面１９ａとリール面３ａの近接面３ｂとの当たりを確実に防ぐことができる。
【００３２】
なお、実際は板状スプリング１５は突起部４と位置規制部２０との間で多少曲げ変形するが、その間の距離が短く、大きく変形しないので、テープリール３の突起部４、近接面３ｂ側がリブ１９側にさほど近づくことはなく、両者間の隙間を維持でき、当たりを防止できる。
【００３３】
以上のように、本実施の形態によれば、例えば、テープカセットの使用時に記録再生装置側の駆動軸がテープリール３，３のリールハブ３ｃの駆動軸挿入孔３ｄに挿入され、駆動軸挿入孔７の内周面の係合歯３ｆに係合し、テープリール３，３が回転駆動されたとき、テープリール３，３が図２の上方向ａに何らかの原因で必要以上に持ち上げられて上ハーフケース１側に移動しても、リブ１９の先端面１９ａとリール面３ａの近接面３ｂとの当たりを確実に防ぐことができる。従って、リブ１９とリール面３ａとにおける当たりによる削れを防止できる。
【００３４】
以上のように本発明を実施の形態により説明したが、本発明はこれらに限定されるものではなく、本発明の技術的思想の範囲内で各種の変形が可能である。例えば、本実施の形態えは、上ハーフケースと窓部材との２色成形時に形成されるリブを例にして説明したが、他の原因でリブが不可避的に形成される場合にも適用できることは勿論である。
【００３５】
【発明の効果】
本発明のテープカセットによれば、２色成形等のためにテープリール近傍のカセットケースの内面側にリブが形成されても、そのリブとテープリールとの当たりによる削れを防止できる。
【図面の簡単な説明】
【図１】本実施の形態によるテープカセットの分解斜視図である。
【図２】図１のテープカセットを長手方向に切断して見た一方のテープリールを示す部分断面図である。
【図３】図１，図２の上ハーフケースの内面に設けた位置規制部と成形時に形成されたリブとを拡大して示す拡大断面図（ａ）及び図２のテープリールの突起部とリブとを拡大して示す部分的拡大断面図（ｂ）である。
【図４】図１，図２の上ハーフケースと窓部材との２色成形を行うための成形金型の要部断面図である。
【図５】従来のテープカセットを長手方向に切断した部分断面図（ａ）及びその部分拡大図（ｂ）である。
【符号の説明】
１・・・上ハーフケース
１ａ・・・上ハーフケースの内面
２・・・下ハーフケース
３・・・テープリール
３ａ・・・リール面
３ｂ・・・近接面、基準面
４・・・突起部
１０・・・磁気テープ（テープ状記録媒体）
１４・・・窓部材
１５・・・板状スプリング
１９・・・リブ
２０・・・位置規制部
【図１】
2004288256.tif 000003
【図２】
2004288256.tif 000004
【図３】
2004288256.tif 000005
【図４】
2004288256.tif 000006
【図５】
2004288256.tif 000007